(57)【要約】【課題】インターネット通信網を介して簡単に映像を書込み保存し且つ検索閲覧できる。携帯電話の場合でも、どこの電話会社かを問わず上記機能を可能にする。【解決手段】通信可能な映像撮影機器により撮影された映像を、インターネット通信網を使ってサーバコンピュータに送信する。受信した映像に、受信管理マスタから自動的に割り当てられた映像保存用アドレス（URL）と、URLを元に生成されたQRコードを割り当てる。上記URLとQRコードは、映像の送信元にインターネットなどの通信回線を使用して返信され、サーバコンピュータ内の記録媒体への検索キーとして配信管理テーブルにも登録する。受信した映像を各携帯電話会社用データ形式に自動的に変換し前記記録媒体に書込み保存する。配信されたURL又はQRコードがあれば、どの携帯電話会社の携帯電話からでもインターネットを介して検索閲覧できる。【選択図】図１
2008219344.tif 000002
【特許請求の範囲】
【請求項１】
サーバコンピュータにインストールされ、インターネットなどの通信回線を通して送信されてきた映像（主として動画と静止画を含むを以下映像と言う）・文字データを自動的に書込み保存する為の映像受信自動変換書込みプログラムであって、
前記サーバコンピュータに映像・文字データを受信する機能と、
受信した映像・文字データを受信管理マスターに照会してURLを割当てる機能と、
割当てられたURLを元にQRコードを自動的に生成する機能と、
割当てられたURLとQRコードを映像・文字データの送信元に返信する機能と、
割当てられたURLとQRコード及び受信した映像に付帯する文字データを配信管理テーブルに登録する機能と、
送信されてきた映像データを、どの電話会社からの検索配信要求にも対応できるように自動的に変換する機能と、
自動変換された映像データを、記録媒体に書込み保存する機能と、
書込み保存が完了したら、通信可能な端末にインターネットなどの通信回線を通じて完了情報を返信する機能と
を可能にする映像受信自動変換書込みプログラム。
【請求項２】
前記記録媒体が前記サーバコンピュータの外部にある通信可能な端末に配置されていると共に、前記サーバコンピュータに、受信した映像・文字データを前記の記録媒体へ送信する機能を付与する。                      
請求項1に記載の映像受信自動変換書込みプログラム。
【請求項３】
前記記録媒体が前記サーバコンピュータの外部にある通信可能な端末に配置されていると共に、前記サーバコンピュータに、受信した映像・文字データを受信管理マスターに照会して前回最終受信データのアドレスに+1をすることで、新たにURLを生成して割当てる機能を付与する。                      
請求項1に記載の映像受信自動変換書込みプログラム。
【請求項４】
前記記録媒体がサーバコンピュータの外部にある通信可能な端末に配置されていると共に、前記サーバコンピュータに、請求項３の新たに生成したURLを元にQRコードを生成する機能を付与する。
請求項1に記載の映像受信自動変換書込みプログラム。
【請求項５】
前記記録媒体が前記サーバコンピュータの外部にある通信可能な端末に配置されていると共に、前記サーバコンピュータに、請求項３の新たに生成したURLと請求項4のQRコードを通信可能な端末に返信する機能を付与する。
請求項1に記載の映像受信自動変換書込みプログラム。
【請求項６】
前記記録媒体が前記サーバコンピュータの外部にある通信可能な端末に配置されていると共に、前記サーバコンピュータに、請求項３の新たに生成したURLと請求項4のQRコードと受信した文字データを配信管理テーブルに書込み登録する機能を付与する。
請求項1に記載の映像受信自動変換書込みプログラム。
【請求項７】
前記記録媒体が前記サーバコンピュータの外部にある通信可能な端末に配置されていると共に、前記サーバコンピュータに、受信した映像データをDocomo用と、AU用と、更にSoftBank用とにデータを自動変換する機能を付与する。
請求項1に記載の映像受信自動変換書込みプログラム。
【請求項８】
前記記録媒体が前記サーバコンピュータの外部にある通信可能な端末に配置されていると共に、前記サーバコンピュータに、変換済みのDocomo用・AU用・SoftBank用データを各Docomo用・AU用・SoftBank用記録媒体に書込み保存する機能を付与する。
請求項1に記載の映像受信自動変換書込みプログラム。
【請求項９】
前記記録媒体が前記サーバコンピュータの外部にある通信可能な端末に配置されていると共に、前記サーバコンピュータに、記録媒体への書込み保存が完了したら通信可能な端末に書込み保存完了通知を返信する機能を付与する。
請求項1に記載の映像受信自動変換書込みプログラム。
【請求項１０】
サーバコンピュータに映像・文字情報を受信する機能と、
受信した映像・文字情報を受信管理マスターに照会してURLを割当てる機能と、
割当てられたURLを元にORコードを自動的に生成する機能と、
割当てられたURLと自動生成されたORコードを映像・文字情報の送信元に返信する機能と、
送信されてきた映像データを、どの電話会社からの検索ダウンロードにも対応できるように自動的に変換して映像データベースとして記録媒体に書込み保存する機能と、
書込み保存が完了したら、映像・文字データの送信元である通信可能な端末に書込み保存完了通知を返信する機能とを可能にする映像受信自動変換書込みプログラムにより、映像データを書込み保存可能な記録媒体。
【請求項１１】
サーバコンピュータにインストールされ、インターネットなどの通信回線を通して通信可能な端末などからのアクセスに対して配信管理テーブルや記録媒体に保存された映像・文字データを自動的に配信する為の映像自動検索配信プログラムであって、
映像自動検索配信のアクセス要求に対して携帯電話会社を判定する機能と、
配信管理テーブルに照会する機能と、
配信管理テーブルの照会内容をインターネットを介して通信可能な端末に返信する機能と、
携帯会社の判定結果と配信管理テーブルの照会結果を元に記録媒体を検索し読込む機能と、
書込み保存した記録媒体の映像データをインターネットなどの通信回線を通して通信可能な端末に配信する機能とを可能にする映像検索配信プログラム。
【請求項１２】
前記記録媒体が前記サーバコンピュータの外部にある通信可能な端末に配置されていると共に、前記サーバコンピュータに、通信可能な端末からの映像自動検索配信のアクセス要求に対して携帯電話会社を判定する機能を付与する。                      
請求項11に記載の映像自動検索配信プログラム。
【請求項１３】
前記記録媒体が前記サーバコンピュータの外部にある通信可能な端末に配置されていると共に、前記サーバコンピュータに、配信管理テーブルを検索照会する機能を付与する。                      
請求項11に記載の映像自動検索配信プログラム。
【請求項１４】
前記記録媒体が前記サーバコンピュータの外部にある通信可能な端末に配置されていると共に、前記サーバコンピュータに、配信管理テーブルの照会内容をインターネットを介して通信可能な端末に返信する機能を付与する                      
請求項11に記載の映像自動検索配信プログラム。
【請求項１５】
前記記録媒体が前記サーバコンピュータの外部にある通信可能な端末に配置されていると共に、前記サーバコンピュータに、携帯会社の判定結果と配信管理テーブルの照会結果を元に記録媒体を検索し読込む機能を付与する。                      
請求項11に記載の映像自動検索配信プログラム。
【請求項１６】
前記記録媒体が前記サーバコンピュータの外部にある通信可能な端末に配置されていると共に、前記サーバコンピュータに、記録媒体の映像データをインターネットなどの通信回線を通して通信可能な端末に配信する機能を付与する。                      
請求項11に記載の映像自動検索配信プログラム。
【発明の詳細な説明】
【技術分野】
【０００１】
本発明は、通信可能な撮影機器により撮影された映像・文字データなどを、インターネット通信網を介して外部にあるサーバコンピュータの記録媒体へ送信し、それを自動的に受信・自動変換・書込み・保存すると共に、通信可能な映像再生機器からの配信のためのアクセス要求に対応して、該当する映像・文字データを自動的に検索して配信するプログラム、記録媒体に係るものである。
【背景技術】
【０００２】
従来から、カメラ機能付き携帯電話では静止画を携帯電話の内蔵メモリやSDカードに保存することができた。
携帯電話の多機能化・PC化が進む中で、容量の大きな映像（動画を含む）データを、内蔵記媒体にストレス無く記録保存できることは難しくなってきている。
【０００３】
更に、携帯電話の番号ポータビリティー制の実施に伴い、携帯キャリア間の障壁が低くなってきている事で、どこの携帯電話会社かに関係無く使える機能が便利である。
【０００４】
もしもし電話でのボイスコミュニケーションからメール交信による文字コミュニケーション、さらに写真添付によるビジュアルコミュニケーションも、今やムービー（動画）時代が到来した事で、物言う映像データによるムービーコミュニケーションの交信は日を追って多くなってきおり映像データの大きさや利用頻度増加に耐えうるものでなければならない。
【０００５】
ムービーコミュニケーションの活用マーケットは、今後各方面への拡大が必定と思われ個人・企業・業界・業務中・プライベート・各種イベント・記念日・祝い事・慶弔・親兄弟・親戚友人知人・レジャー・旅行等の目的を問わず広がりが予測され、それだけにより簡便に操作が出来、ユビキタスである事が求められる。
【０００６】
従来の機能では、インターネット通信網に接続した大容量のサーバコンピュータに収納された映像データを、予めきめられたURL（アドレス）をキーとして、配信要求の為のアクセスをし配信を受けるダウンロードと言われる方法が主流に開発されているが、以下の内容に留まっている。
〔特許文献1〕  動画像配信システムでは既にパーソナルコンピュータに保存された動画像を携帯電話からのアクセスに対して配信する際の操作性や柔軟性に重きをおいて改善したシステムになっているので、今回の映像受信自動変換書込み保存検索配信プログラムとは機能が異なる。
〔特許文献2〕  動画生成配信システムでは、携帯電話からの複数枚の静止画の送信を受けてサーバ側で静止画に元づく動画を生成して返信する動画生成機能であり、今回の映像自動受信書込み保存検索配信プログラムとは機能が異なる。
〔特許文献3〕  画像データ登録装置及び方法では、動画像データからオペレータが介在して適切な静止画を取得する機能であり、今回の映像受信自動変換書込み保存検索配信プログラムとは機能が異なる。
〔特許文献4〕  画像配信方法、画像配信システム、コンピュータ読取可能な記録媒体及びコンピュータプログラムでは、任意の固定ビデオカメラにより撮影された動画は予め約束されたサーバURLに収集され、携帯電話からのアクセスも予め約束されたサーバURLに行われ動画を配信する機能であり、今回の映像受信自動変換書込み保存検索配信プログラムとは機能が異なる。
〔特許文献5〕  動画受信装置、動画送信装置およびプログラムでは携帯電話同士の動画データの送信受信が課題であり携帯電話会議システムのようなものであり、今回の映像受信自動変換書込み保存検索配信プログラムとは機能が異なる。
〔特許文献6〕  動画配信サーバでは、さまざまな端末機で動画の再生ができるようになっており、その方法は配信時データ変換によりダウンロード用の動画ファイルを生成するシステムであり、今回の映像受信自動変換書込み保存検索配信プログラムとは機能が異なる。
差別化するなら、映像データの記録媒体への書込み保存時のデータ変換は、配信要求があった時点でのデータ変換に比べ安定性の面で優れている点であり、更に映像受信、自動変換、書込み、保存、検索、配信のサービスをトータルに提供している点で機能が異なる。
【０００７】
【特許文献１】特開2007−643号広報
【特許文献２】特開2005-45757号広報
【特許文献３】特開2005-57343号広報
【特許文献４】特開2003-37836号広報
【特許文献５】特開2006-19771号広報
【特許文献６】特開2004-222124号広報
【発明の開示】
【発明が解決しようとする課題】
【０００８】
ムービーコミュニケーションの交信は更に多くなり、容量の大きな映像データを内蔵メモリーやSDカードに保存すると記憶容量に限界があり、操作性にストレスを感じる。今後はインターネット通信網3などを介して接続可能な大容量の外部記憶媒体6・7・8に書込み保存し、必要に応じて取り出すことが望ましい。
【０００９】
携帯電話会社が、どの会社であるかに関係なく書込み保存でき、且つ検索配信要求に耐えうる事が必要である。現状では全キャリア対応の映像配信システムはあるものの、映像送信、自動変換、書込み、保存、検索、配信のトータルな自動化機能は無いことから、全キャリア対応のシステムであることが望ましい。
【００１０】
どの電話会社の携帯電話でも使えることになると、ムービーコミュニケーション機能の使用頻度はかなり高いものになることが予測され、その為の機能の安定性や信頼性、同時アクセス能力を強力なものにしなければならない。
【００１１】
携帯電話、PDF、Webカメラ搭載PC、専用機器などの、映像撮影機能を備えたインターネット通信網3を介して通信可能な端末1がサーバコンピュータ2への書込み保存を簡単に行えるように完全自動化する。
【課題を解決するための手段】
【００１２】
上記目的を達成する為に、本発明の映像受信自動変換書込み保存検索配信プログラムは、サーバコンピュータ2にインストールされ、インターネット通信網3を介して通信可能な端末1から送信されてきた映像・文字データを自動的に書込み保存する為の映像受信自動変換書込み保存機能を有するプログラムであって、
サーバコンピュータ2に映像・文字データを受信する機能と、
受信した映像・文字データを受信管理マスター4に照会してURLを割当てる機能と、
割当てられたURLを元にQRコードを自動的に生成する機能と、
URLとQRコードを映像・文字データの送信元である通信可能な端末1に返信する機能と、
URLとQRコード及び受信した映像に付帯する文字データを配信管理テーブル5に登録する機能と、
送信されてきた映像データを、どの電話会社からの検索ダウンロードにも対応できるように自動的に変換する機能と、
自動変換された映像データを、記録媒体6・7・8に書込み保存する機能と、
書込み保存が完了したら、映像・文字データの送信元である通信可能な端末1にインターネット通信網3を通じて書込み保存完了情報を返信する機能とを可能にする。
【００１３】
前記記録媒体6・7・8がサーバコンピュータ2の外部にある携帯電話などの通信可能な端末1に配置されていると共に、サーバコンピュータ2に、受信した映像・文字データを記録媒体6・7・8へ送信する機能を付与する事で、容量の大きな映像データを通信可能な端末1の内蔵メモリに保存して容量オーバーにより起こるストレスを解消できる。
【００１４】
前記記録媒体6・7・8がサーバコンピュータ2の外部にある携帯電話などの通信可能な端末1に配置されていると共に、
記録媒体6・7・8に送信される映像データを自動的に書込み保存する為に、記録媒体6・7・8内部のアドレス（URL）を自動生成する機能を付与する。
当該機能を可能にするためには、生成するURLを記録管理するためにサーバコンピュータ2に受信管理マスタ4を設置する。
新たに生成するURLは、前記受信管理マスタ4に照会して前回最終受信度数に+1することで生成できる。このURL生成が自動化される事で、記録媒体6・7・8への映像データ書込み保存が自動化できる。
尚、受信管理マスタ4は、インターネット通信網を介して通信可能な端末1から送信されてくる映像データの言わば受付の役目を果たし、その内容はURLの他・受信日時・保存期日・削除期日・データ容量・後述のQRコードなどで構成する。
【００１５】
前記記録媒体6・7・8がサーバコンピュータ2の外部にある携帯電話などの通信可能な端末1に配置されていると共に、前記URLを元に、QRコードを自動生成する機能を付与する。
【００１６】
前記記録媒体6・7・8がサーバコンピュータ2の外部にある携帯電話などの通信可能な端末1に配置されていると共に、映像データ送信元の通信可能な端末1に、URLとQRコードを返信する機能を付与する。
この事により、URLとQRコードの両方で映像の検索配信のためのアクセスが可能となる。
【００１７】
前記記録媒体6・7・8がサーバコンピュータ2の外部にある携帯電話などの通信可能な端末1に配置されていると共に、受信管理マスタ4に、自動生成されたURL・QRコード・受信日時・保存期日・削除期日（任意又は自動設定）・データ容量などを記録する機能を付与する。
【００１８】
前記記録媒体6・7・8がサーバコンピュータ2の外部にある携帯電話などの通信可能な端末1に配置されていると共に、
URL、QRコード、映像データと同時に送信されてくる文字データ（タイトル・記事・撮影場所・撮影日時・撮影者名・パスワード・保存期間・容量・再生時間・など）と併せて配信管理テーブル5に登録する機能を付与する。
この場合の文字データは、通信可能な端末1からの任意のコンテンツとしての取扱うのが適当だが、容量と再生時間については、１０秒・１５秒・２０秒・３０秒・指定秒数、などと送信時に設定するか、サーバコンピュータ2側で全て１５秒打ち切りなどの設定にしても構わない。
受信管理マスター4が映像データの書き込み保存要求に対する受付役であるのに対して、配信管理テーブル5は、映像データへの検索配信要求アクセスに対する受付役と位置づける。                  
【００１９】
記録媒体6・7・8がサーバコンピュータ2の外部にある携帯電話などの通信可能な端末1に配置されていると共に、サーバコンピュータ2に、受信した１つの映像データをDocomo用と、AU用と、SoftBank用との３種類のデータ形式に自動変換する機能を付与する。
【００２０】
記録媒体6・7・8がサーバコンピュータ2の外部にある携帯電話などの通信可能な端末1に配置されていると共に、サーバコンピュータ2に、変換済みのDocomo用・AU用・SoftBank用データを各Docomo用・AU用・SoftBank用記録媒体6・7・8に書込み保存する機能を付与する。
【００２１】
記録媒体6・7・8がサーバコンピュータの外部にある携帯電話などの通信可能な端末1に配置されていると共に、サーバコンピュータ2に、記録媒体6・7・8への書込み保存が完了したらインターネット通信網3を介して通信可能な端末1に、書込み保存完了通知を返信する機能を付与する。
【００２２】
サーバコンピュータ2にインストールされ、インターネット通信網3を介して送信されてきた映像・文字データを自動的に書込み保存する為の映像受信自動変換書込み保存機能を有するプログラムであって、
サーバコンピュータ2に映像・文字データを受信する機能と、
受信した映像・文字データを受信管理マスター4に照会してURLを割当てる機能と、
割当てられたURLを元にQRコードを自動的に生成する機能と、
URLとQRコードを映像・文字データの送信元である通信可能な端末1に返信する機能と、
URLとQRコード及び受信した映像に付帯する文字データを配信管理テーブル5に登録する機能と、
送信されてきた映像データを、どの電話会社からの検索ダウンロードにも対応できるように自動的に変換する機能と、
自動変換された映像データを、記録媒体6・7・8に書込み保存する機能と、
書込み保存が完了したら、映像・文字データの送信元である通信可能な端末1にインターネット通信網3を通じて書込み保存完了情報を返信する機能と
を可能にする映像自動変換書込みプログラムにより、映像データを書込み保存可能な記録媒体6・7・8。
【００２３】
サーバコンピュータ2にインストールされ、インターネット通信網3を介して送信される通信可能な端末1からの映像アクセス要求に対して、配信管理テーブル5や記録媒体6・7・8に保存された映像・文字データを自動的に配信する為の映像検索配信プログラムであって、
映像検索配信のアクセス要求に対して携帯電話会社を判定する機能と、
配信管理テーブル5に照会する機能と、
配信管理テーブル5の照会内容をインターネット通信網3を介して通信可能な端末1に返信する機能と、
携帯会社の判定結果と配信管理テーブル5の照会結果を元に記録媒体6・7・8を検索し読込む機能と、
読込んだ記録媒体6・7・8の映像データをインターネット通信網3を通して通信可能な端末1に配信する機能とを可能にする。
【００２４】
記録媒体6・7・8がサーバコンピュータ2の外部にある携帯電話などの通信可能な端末1に配置されていると共に、サーバコンピュータ2に、通信可能な端末1からのURL若しくはQRコードでの映像アクセス要求に対して携帯電話会社を判定する機能を付与する。                      
【００２５】
記録媒体6・7・8がサーバコンピュータ2の外部にある携帯電話などの通信可能な端末1に配置されていると共に、サーバコンピュータ2に、URLによる配信管理テーブルを検索照会する機能を付与する。                      
【００２６】
記録媒体6・7・8がサーバコンピュータ2の外部にある携帯電話などの通信可能な端末1に配置されていると共に、サーバコンピュータ2に、配信管理テーブル5の検索照会結果であるタイトル・記事・撮影場所・撮影日時・撮影者名・パスワード・保存期間・容量・再生時間・などをインターネット通信網3を介して携帯電話などの通信可能な端末1に返信する機能を付与する。                      
【００２７】
記録媒体6・7・8がサーバコンピュータ2の外部にある携帯電話などの通信可能な端末1に配置されていると共に、サーバコンピュータ2に、自動的若しくは、通信可能な端末1からの任意の指示（パスワード照合）により、携帯会社の判定結果と配信管理テーブル5の照会結果を元に記録媒体6・7・8を読込む機能を付与する。                      
【００２８】
記録媒体6・7・8がサーバコンピュータ2の外部にある携帯電話などの通信可能な端末1に配置されていると共に、サーバコンピュータ2に、記録媒体6・7・8の映像データをインターネット通信網3を通して携帯電話などの通信可能な端末1に配信する機能を付与する。
【発明の効果】
【００２９】
映像データを外部記憶媒体に送信して格納することで、データ容量に関するストレスが解消され、リアルタイムにアクセス用URLとQRコードの配信を受けることで、自身と複数相手先との画像の共有化がスムースになる、また送信は操作が完全自動化されるので利便性が高くなる。更に、どの電話会社の携帯電話からでも、映像データ検索ダウンロードして再生する事が出来る。
【発明を実施するための最良の形態】
【００３０】
以下、本発明の実施形態については、図面を参照しながら説明する。
図1は、本発明を可能にした様子を示す概要図である。
図2は、受信書込み保存の自動化と検索配信の自動化をするシステムの要素と機能、さらに役割を示した流れ図である。
サーバコンピュータ2には、インターネット通信網3を介して携帯電話aなどの通信可能な端末1から送信されてくる映像・文字データをリアルタイムに受信して、受信した各電話会社独自のデータ形式を、どの電話会社からの映像配信のためのアクセス要求でも対応できるように、前もって全電話会社のデータ形式に自動的に変換して、記録媒体6・7・8に書込み保存する映像受信自動変換書込み保存プログラムと、
インターネット通信網3を介して携帯電話aなどの通信可能な端末1から送信されてくる映像検索配信のためのアクセス要求に対し、電話会社を判定して該当する記録媒体6・7・8に保存されている映像データを自動検索配信するための検索配信プログラムがインストールされている。
【００３１】
受信管理マスタ4については、
インターネット通信網3を介して携帯電話aなどの通信可能な端末1から、サーバコンピュータ2に送られてくる映像データ書込み保存要求に対し、受信管理マスタ4を設置して受付の役目をする。
受付の役目（機能）とは、
第１に、記録媒体6・7・8に保存する為にアドレス（URL）の自動生成を可能にする事であり、それは受信管理マスタ4の直前のURL指数（受付けた順番）に +1することで可能になる。
第２に、書込み保存用「待受け画面」を用意して保存期間・削除期限日・タイトル・記事・撮影場所・撮影日時・撮影者名・パスワードなどの任意の文字情報を入力する事ができる機能を付与する。
第３に、送信されてくる映像データを原始データとしてバックアップ機能を付与する。
第４に、受信管理マスタ4の内容は、URL・QRコード・受信日時・保存期間・削除期限日・データ容量・バックアップなどとなり一部は、配信管理テーブル5と持ち合いで記録保存する。
更に、記憶媒体6・7・8に一旦保存された映像データは、保存期間が経過した後に記録媒体6・7・8から自動削除され配信管理テーブル5からも削除されるため、受信管理マスタ4に削除期限日の記録を残す事が望ましい。  
【００３２】
配信管理テーブル5については、
携帯電話のような映像撮影機能を装備した通信可能な端末1などから、インターネット通信網3を介してサーバコンピュータ2に送られてくる映像データの検索配信要求に対し、配信管理テーブル5を設置して受付の役目をする。
受付の役目（機能）とは、
第１に、送信されてくる検索配信要求に、URL若しくはQRコードをキーとして該当映像データの有無・アドレスの正当性などを確認する。
第２に、検索配信要求に整合性があれば、携帯電話で言う検索配信用「待ちうけ画面」を設置して後述の配信管理テーブルの内容を、映像再生の前に映像ファイルコンテンツとして通信可能な端末1に表示する事ができるようにするとパスワード照合での配信可否の判断も可能になる。
第３に、URLとQRコードをテーブルデータとして記録保有する他、前記原始データと共に受け取った文字データ（タイトル・記事・撮影場所・撮影日時・撮影者名・パスワード・保存期間・容量・再生時間・など）を収納しておく事にある。
【００３３】
URLとQRコードの併用について、
自動生成されたURLを元にさらにQRコードを生成して、プリンタ機能を装備した通信可能な端末1（専用機器f）には、この両方を返信する。
一人の撮影者が作成した映像を、インターネット通信網3を介して記録媒体6・7・8に保存し、映像を検索配信するためのURLとQRコードをリアルタイムに受け取る事で、撮影者は、映像を見せたい相手に対しURLや QRコードを配る事ができる。これが映像データの大勢での共有化になる。
映像撮影者に届いたURLとQRコード画像は、携帯電話などの通信機器同士の配信にはURL、紙媒体による情報伝達にはQRコード画像と活用範囲が広がり、記録保存された映像の共有が格段に拡がる。
また、これからのムービーコミュニケーションは、仕事・生活のあらゆる場面で活用される事が容易に想像できるため、紙媒体による情報伝達が可能なQRコード画像を併用することが望ましい。
【００３４】
受信時に３種類のデータ形式に自動変換することの優位性について、
前述の〔特許文献6〕動画配信サーバでは、さまざまな端末機で動画の再生ができるようになっており、その方法は配信時データ変換によりダウンロード用の動画ファイルを生成するシステムであるのに比べ、一つの映像データファイルを前もって３種類のデータ形式のファイルに自動変換して、それぞれを書込み保存するためバックアップをつくる必要が無く安定性が高い。
【００３５】
記憶媒体6・7・8については、
受信管理マスタ4との照会により自動生成されたURLを、配信管理テーブル5に登録して、自動変換された３種類の映像データファイルを各種類ごとに振り分け指示されたURLに元づき保存された映像データ記録媒体6・7・8である。
【００３６】
ユビキタスな映像収納と検索配信の完全自動化は、携帯電話や専用機器を使って自由に操作し利用する事ができます。これらの機能を収納したサーバコンピュータ2とプログラムを（仮称）movie-memoとします。
【００３７】
想い出深いあの人この人・新たな出会いが生まれる時・コンペ・同窓会でさりげなく撮影した映像データの共有は、各自がmovie-memoに送信保存します。リアルタイムに返信されてきたURLやQRコードを周りの人（多数）に配る事ができます。これがムービーコミュニケーションです。
久しぶりにあつまった父母・兄・姉・妹そして従兄弟姉妹と孫達の集まりで、思い思いに撮影した家族の顔、知らないうちに写っていた自分の表情、各自がmovie-memoに送信保存します。リアルタイムに返信されてきたURUやQRコードを皆に（多数）配ります。これがムービーコミュニケーションです。
家族での映像データの共有
レクレーション・イベントでの映像データの共有
教育研修での映像データの共有
運動会での映像データの共有
忘年会での映像データの共有
観光地での映像データの共有
仕事現場・出張先での映像データの共有
生活のあらゆる場面で、（仮称）movie-memoは、現代人のコミュニケーションツールとして欠くことのできないものです。
【図面の簡単な説明】
【００３８】
【図１】映像データの受信から保存までと、保存データのアクセスから配信までの様子を示す概要図
【図２】本発明が、映像を受信・配信するときの、各機能を実行するための手順を時系列に示した流れ図
【符号の説明】
【００３９】
１通信可能な端末      
２サーバコンピュータ
３インターネット通信網
４受信管理マスタ
５配信管理テーブル
６記録媒体
７記録媒体
８記録媒体
【図２】
2008219344.tif 000003
【図１】
2008219344.tif 000004